(57)【特許請求の範囲】
【請求項１】
遊技機に取り付けられる遊技機用表示装置であって、
遊技者と対面する前面側において数字・文字等からなる第一の図柄を発光表示するために面状に広がる面発光部を有するとともに、その面発光部の周縁から後方側に延びる延長部が一体的に形成された透光性の導光板と、
その導光板の面発光部の後方側に配置され、前記第一の図柄とは異なる形態の数字・文字等からなる第二の図柄を前記面発光部の発光領域内にて発光表示するために、前記第二の図柄の形状に貫通形成された貫通孔に照射された光がその内面で反射して発光する複数の孔発光部を有する板状のリフレクタと、
前記導光板の延長部を通り前記面発光部を面状に発光させるために、前記延長部の端面側に配置される複数の第一発光素子と、前記リフレクタの貫通孔を通過する際に前記孔発光部を発光させるために、前記貫通孔の後方側に対応配置される複数の第二発光素子とが、前面側に実装された単一の共通基板と、
前記導光板と前記リフレクタとの間において、自身の外周面が前記導光板の延長部の内周面と、自身の前面が前記導光板の面発光部の後面と、それぞれ直接接触して配置され、前記延長部から部分的に導入された前記第一発光素子の光を前記面発光部へ導出するとともに、前記リフレクタの孔発光部を発光させる前記第二発光素子の光を前記面発光部へ向けて通過させるための板状の透光体と、
を備え、
前記第一発光素子が点灯したとき、その光が前記導光板の延長部及び前記透光体を通り前記面発光部に導かれて前記第一の図柄を発光させるとともに、前記第二発光素子が点灯したとき、その光が前記リフレクタの孔発光部を照射して前記第二の図柄を発光させ、かつ前記透光体及び面発光部を通過することにより、前記面発光部による前記第一の図柄の面状の発光表示態様と、前記孔発光部による前記第二の図柄の分散した発光表示態様とが重層的に視認可能であることを特徴とする遊技機用表示装置。
【請求項２】
前記透光体は、外周縁部に比べて中央部の厚みが大となる凸レンズ状に形成されている請求項１に記載の遊技機用表示装置。
【請求項３】
前記透光体とリフレクタとは、前記リフレクタの孔発光部を発光させた前記第二発光素子の光を拡散させながら前記透光体を通過させるために、板状又はシート状の光拡散透過部材を介して間接的に接触している請求項１又は２に記載の遊技機用表示装置。
【請求項４】
前記第一の図柄の形状は前記導光板の面発光部に形成されている請求項１ないし３のいずれか１項に記載の遊技機用表示装置。
【請求項５】
前記導光板を収容して前記面発光部を前方側から保持するケース体を備え、
前記第一の図柄の形状は前記ケース体に形成されている請求項１ないし４のいずれか１項に記載の遊技機用表示装置。
【請求項６】
請求項１ないし５のいずれか１項に記載の遊技機用表示装置を備えたことを特徴とする遊技機。
【発明の詳細な説明】
【技術分野】
【０００１】
本発明は、遊技機用表示装置及びそれを備えた遊技機に関する。
【背景技術】
【０００２】
従来から、パチンコ機、アレパチ機等の弾球遊技機やスロットマシン、パチスロ機等の回胴式遊技機を含む種々の遊技機では、遊技機内での抽選結果に基づき大当たり（特別遊技状態）、取得された役の種別等が成立する可能性を途中報知（予告表示）したり、その抽選結果に対応する表示を最終報知（確定表示）したりするために多種多様な表示装置が用いられている。このような表示装置の中でも、発光ダイオード（ＬＥＤ）等の発光素子は、（１）消費電力が低い、（２）寿命が長い、（３）ドットマトリクス方式、セグメント方式のいずれでも容易に使用できる、（４）表示出力が安定している、（５）くっきりと明瞭に表示できる、等の理由から広範に用いられている。
【０００３】
本願出願人は、例えば図柄を表示するセグメント表示部（メイン表示部）の遊技者側に面状の導光板を含む面発光部を設け、少なくとも導光板用発光素子の発光態様を変化させることによって、発光素子の明瞭性を活かしつつ図柄表示態様の多様化・多彩化を図ることを提案した（特許文献１参照）。
【先行技術文献】
【特許文献】
【０００４】
【特許文献１】特許第３７７４２０６号公報
【０００５】
これによって、遊技機用表示装置に新たなゲーム性を付加することができ、遊技者の興趣を増大させ、娯楽性を向上させることができる。しかし、このような表示装置では、導光板用発光素子（第一発光素子）は導光板の周縁部から延出する延長部に対応して配置されているので、図柄表示態様を充実させるために面発光部の発光領域を拡大しようとすると、導光板用発光素子の光は最も遠い位置にある面発光部（発光領域）の中央部分へ届きにくくなり、中央部分での光量不足を生じやすくなる。また、演出表示パターン等への展開により更なる多様化・多彩化を図ろうとしても、セグメント表示部を用いた表示態様には自ずから限界がある。
【発明の概要】
【発明が解決しようとする課題】
【０００６】
本発明の課題は、導光板の面発光部全体に十分な光量をもたらすとともに、リフレクタにも複数の孔発光部を分散して設けることによって、興趣に富んだ発光表示態様を可能とした遊技機用表示装置とそれを備えた遊技機を提供することにある。
【課題を解決するための手段及び発明の効果】
【０００７】
上記の課題を解決するために、遊技機に取り付けられる本発明の遊技機用表示装置は、
遊技者と対面する前面側において数字・文字等からなる第一の図柄を発光表示するために面状に広がる面発光部を有するとともに、その面発光部の周縁から後方側に延びる延長部が一体的に形成された透光性の導光板と、
その導光板の面発光部の後方側に配置され、前記第一の図柄とは異なる形態の数字・文字等からなる第二の図柄を前記面発光部の発光領域内にて発光表示するために、前記第二の図柄の形状に貫通形成された貫通孔に照射された光がその内面で反射して発光する複数の孔発光部を有する板状のリフレクタと、
前記導光板の延長部を通り前記面発光部を面状に発光させるために、前記延長部の端面側に配置される複数の第一発光素子と、前記リフレクタの貫通孔を通過する際に前記孔発光部を（例えば散点状に）発光させるために、前記貫通孔の後方側に対応配置される複数の第二発光素子とが、前面側に実装された単一の共通基板と、
前記導光板と前記リフレクタとの間において、自身の外周面が前記導光板の延長部の内周面と、自身の前面が前記導光板の面発光部の後面と、それぞれ直接接触して配置され、前記延長部から部分的に導入された前記第一発光素子の光を前記面発光部へ導出するとともに、前記リフレクタの孔発光部を発光させる前記第二発光素子の光を前記面発光部へ向けて通過させるための板状の透光体と、
を備え、
前記第一発光素子が点灯したとき、その光が前記導光板の延長部及び前記透光体を通り前記面発光部に導かれて前記第一の図柄を発光させるとともに、前記第二発光素子が点灯したとき、その光が前記リフレクタの孔発光部を照射して前記第二の図柄を発光させ、かつ前記透光体及び面発光部を通過することにより、前記面発光部による前記第一の図柄の面状の発光表示態様と、前記孔発光部による前記第二の図柄の（例えば散点状に）分散した発光表示態様とが重層的に視認可能であることを特徴とする。
【０００８】
このような遊技機用表示装置によれば、導光板とリフレクタとの間に透光体（例えばレンズ）が配置されたことにより、第一発光素子（例えばＲＧＢ３色フルカラーＬＥＤ）の光の一部は導光板の延長部から透光体に導入され（漏れ出し）、透光体を介して導光板の面発光部へ導出する（戻る）。あるいは、第一発光素子の光は、面発光部を伝播するときに面発光部と透光体との接面（境界面）で反射して面発光部に戻ることができる。このように、導光板とリフレクタとの間に透光体を設けることによって、導光板の面発光部全体に十分な光量をもたらし、面発光部（発光領域）の中央部分での光量不足が生じにくくなる。また、リフレクタにも複数の孔発光部を分散して設けることによって、演出表示パターン等への展開も容易であり、興趣に富んだ発光表示態様が可能となる。さらに、透光体はリフレクタの前方側に位置し、リフレクタの孔発光部及びその後方に対応配置された第二発光素子（例えば単色ＬＥＤ）を覆っているので、第二発光素子の消灯時に孔発光部が透けて見えるのを防ぐとともに、第二発光素子の点灯とともに視認可能となるので、遊技者に新たな興趣を抱かせることができる。
【０００９】
なお、第一及び第二の「図柄」の発光表示対象としては、
（１）ひらかな・カタカナ・漢字・アルファベットのような各種の文字；
（２）算用数字・ローマ数字のような各種の数字；
（３）国旗・紋章・地図記号のような各種の記号；
（４）人物・動物・植物・擬人化されたキャラクタのような各種の図形；
等を含み、これらの発光表示対象を面発光部や孔発光部に書き表したり（表記したり）、周囲を覆い隠したり（縁取ったり）、象形物としたり（象ったり）することによって図柄を形成する。
【００１０】
また、導光板や透光体には、透光性（透明性）及び成形性に優れた高分子材料（例えば、ポリカーボネート（ポリカ；ＰＣ）樹脂やメタクリル（アクリル；ＰＭＭＡ）樹脂）を用いることが望ましい。さらに、第一及び第二発光素子には、ＲＧＢ３色フルカラーＬＥＤ、単色ＬＥＤのいずれを用いてもよい。
【００１１】
上記透光体は、その外周面が延長部の内周面と、その前面が面発光部の後面と、それぞれ直接接触するとともに、外周縁部に比べて中央部の厚みが大となる凸レンズ状に形成されていることが望ましい。
【００１２】
このように、透光体と導光板の延長部及び面発光部とが直接接触することによって、第一発光素子の光の一部を導光板の延長部から透光体に導入し（漏れ出し）、その後透光体から導光板の面発光部へ導出する（戻す）とき、外部への漏洩をほとんどなくすことができる。しかも、透光体の凸レンズ効果により面発光部の中央付近へ光（第一発光素子の光について、透光体から面発光部へ導出する（戻る）光や透光体と面発光部との接面（境界面）で反射して面発光部に戻る光の他に、リフレクタの孔発光部を発光させた第二発光素子の光も含む）が収束するので、遊技者は、第一の図柄の面状の発光表示態様と第二の図柄の分散した発光表示態様とがはっきりと重ね合わされた状態で視認できる。
【００１３】
また、透光体とリフレクタとは、リフレクタの孔発光部を発光させた第二発光素子の光を拡散させながら透光体を通過させるために、板状又はシート状の光拡散透過部材を介して間接的に接触する場合がある。
【００１４】
このように、透光体とリフレクタとの間に光拡散透過部材（例えば拡散レンズ、拡散シート）を介在させることによって、孔発光部で発光した第二発光素子の光を強調して遊技者に視認させることができる。また、光拡散透過部材が透光体とリフレクタとの間に介在する（挟まれている）ことによって、第一発光素子の点灯・消灯にかかわらず、第二発光素子の消灯時に孔発光部が透けて見えるのを防ぐことができる。ただし、光拡散透過部材を挟む代わりに、又はそれとともに、透光体の後面にカット溝等の複数の細溝を形成することによっても、第一発光素子の点灯・消灯にかかわらず、第二発光素子の消灯時に孔発光部が透けて見えるのを防ぐことができる。
【００１５】
なお、第一発光素子の光を導光板の延長部に導く際の光量損失を軽減するために、延長部に塗装、印刷、反射シールの貼付、真空蒸着等によって反射層を形成したり、鋸歯状、ピラミッド状等の刻み（ローレット目）を付けることによって凹凸部を形成したりすることができる（特開２００８−２２９１２号公報、特開２００８−２２９１３号公報、特開２００８−２６４０２号公報等参照）。
【００１６】
そして、第一の図柄形状を導光板の面発光部に形成することによって、第一の図柄を近景（手前側の風景）とし、第二の図柄を遠景（奥側の風景）として遊技者に認識させることが容易になる。
【００１７】
具体的には、
（１）面発光部を前方側に膨出一体成形して第一の図柄形状を形成；
（２）面発光部の前面において、第一の図柄の全体に透光性の印刷；
（３）面発光部の前面において、第一の図柄の外周縁部に非透光性の塗装、印刷、めっき、真空蒸着；
（４）面発光部の前面に第一の図柄が印刷されたシ−ルを貼付；
等の手段を用いることができる。
【００１８】
あるいは、導光板を収容して面発光部を前方側から保持するケース体を備え、第一の図柄形状をケース体に形成することによっても、第一の図柄を近景（手前側の風景）とし、第二の図柄を遠景（奥側の風景）として遊技者に認識させることが容易になる。
【００１９】
具体的には、ケース体に第一の図柄形状をくりぬき形成することができる。なお、上記（１）〜（４）のいずれかによって第一の図柄形状を導光板の面発光部にも形成し、ケース体と組み合わせる場合には、第一の図柄の面状の発光表示態様を一層多彩にすることができる。
【００２０】
そして、上記の課題を解決するために、本発明の遊技機は、
以上で述べた遊技機用表示装置を備えたことを特徴とする。
【００２１】
これによって、興趣に富みゲーム性の高い発光表示態様を有する遊技機を実現することができるようになる。なお、「遊技機」には、パチンコ機、アレパチ機等の弾球遊技機や、スロットマシン、パチスロ機等の回胴式遊技機が含まれる。
【図面の簡単な説明】
【００２２】
【図１】本発明に係る演出表示装置を備えたパチンコ機を例示する正面図。
【図２】本発明に係る演出表示装置の一例を示す斜視図。
【図３】図２の分解斜視図。
【図４】図３を反対側から見た分解斜視図。
【図５】図２の正面図。
【図６】図５の背面図。
【図７】図５において、発光基板、リフレクタ及び導光板の配置関係を説明する正面図。
【図８】図５のＡ−Ａ断面図。
【図９】図５のＢ−Ｂ断面図。
【図１０】図５のＣ−Ｃ断面図。
【図１１】図５における発光表示態様を説明する正面図。
【発明を実施するための形態】
【００２３】
以下、本発明の実施の形態を図面を参照しつつ説明する。図１は本発明に係る遊技機用表示装置（以下、単に演出表示装置ともいう）を備えたパチンコ機を例示する正面図である。図１に示すように、パチンコ機１０１（遊技機）の遊技盤１０２は内枠１０３に着脱可能に嵌め込み固定され、内枠１０３は正面視左側にてヒンジ１０３ａを通る上下方向の開閉軸線Ｏ周りで外枠１０４（固定枠）に対して回動開閉可能に支持されている。また、遊技盤１０２は手前側（遊技者側）に位置するガラス板（図示せず）で覆われ、ガラス板は前面枠１０５（ガラス枠）に固定され、前面枠１０５はヒンジ（図示せず）により内枠１０３に対して回動開閉可能に支持されている。なお、内枠１０３は前面枠１０５の背面側外周部に、外枠１０４は内枠１０３の背面側に、それぞれ部分的に重なり合った状態で配置されている。
【００２４】
遊技盤１０２の盤面（前面）には、ほぼ左半周が内外２本のガイドレール１０２ｂによって区画され、全体として円形に近い形状の遊技領域１０２ａが形成されている。遊技領域１０２ａの中央には液晶表示装置１０６が搭載され、液晶表示装置１０６の下方（遊技領域１０２ａの中央下部）に大入賞装置１０７（アタッカー）が配置されている。また、液晶表示装置１０６と大入賞装置１０７との間には、電動チューリップ（電チュー）にて構成される始動入賞装置１０８（チャッカー）が配置されている。本発明に係る演出表示装置１は液晶表示装置１０６の上方（遊技領域１０２ａの中央上部）に位置する形で遊技盤１０２に配置固定されている。
【００２５】
さらに、前面枠１０５の下部には、発射用の遊技球（賞球・貸球）を貯留しておくための球受皿１０９が前方側に膨出する形で左右方向に延設されている。前面枠１０５の右側下端部には、球受皿１０９から供給された遊技球を遊技領域１０２ａに発射するための発射ハンドル１１０が前方側に突出形成されている。また、前面枠１０５には、球受皿１０９の真下で発射ハンドル１１０の近傍と、中央上端部に、スピーカ１１１がそれぞれ（中央上端部には左右一対）配置されている。
【００２６】
なお、本明細書において、上下方向とは遊技盤１０２の盤面に沿う形で遊技球が流下する方向（例えば、鉛直方向）を意味する。また、左右方向とは遊技盤１０２の盤面に沿う形で上下方向と交差する方向（例えば、水平方向）を意味し、遊技者側（正面側）からみて左側、右側をいう。さらに、前後方向とは遊技盤１０２と交差（例えば、直交）する方向を意味し、遊技者に対面する側（手前側）が前面側（前方側）であり、その反対側（奥側）が後面側（後方側）となる。
【００２７】
図２は本発明に係る演出表示装置の一例を示す斜視図、図３及び図４は異なる方向から見た分解斜視図、図５は正面図、図６は背面図である。また、図７は発光基板、リフレクタ及び導光板の配置関係を説明する正面図、図８は図５のＡ−Ａ断面図、図９はＢ−Ｂ断面図、図１０はＣ−Ｃ断面図、図１１は発光表示態様を説明する正面図である。図２〜図４に示すように、演出表示装置１は、前方側のケース体２と後方側の裏蓋３とが複数（例えば６本）のビス９（締結部材）によって直方体形状の箱に組み立てられ、その内部には、透光性の導光板１０と、矩形板状のリフレクタ２０と、矩形状の発光基板３０（共通基板）と、矩形板状のレンズ４０（透光体）と、薄い矩形シート状の拡散シート５０（光拡散透過部材）とが収容されている。
【００２８】
導光板１０は、前面側において長手方向に“ＮＩＰＰＡＣＨＩ”のアルファベット８文字からなる第一の図柄Ｆ１を発光表示（図７，図１１（ｂ）参照）するために、面状に広がる正面視矩形状の面発光部１１を有している。すなわち、第一の図柄形状は導光板１０の面発光部１１に形成されている。また、面発光部１１の上下の周縁から延長部１２，１２がそれぞれ後方側に延び、面発光部１１と延長部１２，１２とは、ポリカーボネート（ポリカ；ＰＣ）樹脂によって一体成形されている。
【００２９】
具体的には、面発光部１１から前方側に膨出した“ＮＩＰＰＡＣＨＩ”の膨出部１１ａが第一の図柄形状を形成している。一方、導光板１０の面発光部１１を前方側から保持するケース体２には、“ＮＩＰＰＡＣＨＩ”のアルファベット８文字をくりぬいて窓孔２ａが形成されている。そして、窓孔２ａには面発光部１１の膨出部１１ａが挿入されているので、この窓孔２ａも第一の図柄形状を形成している。
【００３０】
リフレクタ２０は、導光板１０の面発光部１１の後方側に配置されている。リフレクタ２０には、第一の図柄Ｆ１（“ＮＩＰＰＡＣＨＩ”）とは異なる形態の三角記号“△”からなる第二の図柄Ｆ２を面発光部１１の発光領域内にて発光表示（図７，図１１（ｃ）参照）するために、散点状に分布する多数（例えば４８個）の孔発光部２１を有している。各孔発光部２１は、第二の図柄形状“△”に貫通形成された貫通孔２２から構成され、後述するリフレクタＬＥＤ３２から貫通孔３２に照射された光がその内面で反射して発光するように、貫通孔３２の内周面には塗装、印刷、めっき、真空蒸着等によって反射層（図示せず）が形成されている。すなわち、第二の図柄形状はリフレクタ２０の孔発光部２１（貫通孔２２）に形成されている。このように、リフレクタ２０には散点状に発光させる多数の孔発光部２１を設けてあるので、演出表示パターン等への展開も容易であり、興趣に富んだ発光表示態様が可能となる。
【００３１】
発光基板３０には、複数（１６個）の導光板ＬＥＤ３１（第一発光素子；例えばＲＧＢフルカラーＬＥＤ）と複数（４８個）のリフレクタＬＥＤ３２（第二発光素子；例えば単色ＬＥＤ）とが、それぞれ前面側に実装されている。図７に示すように、導光板ＬＥＤ３１は、導光板１０の延長部１２，１２を通り面発光部１１を面状に発光させるために、“ＮＩＰＰＡＣＨＩ”の１文字に対して上下の延長部１２，１２の端面側に１個ずつ（１文字につき２個で計１６個）配置されている。一方、リフレクタＬＥＤ３２は、リフレクタ２０の貫通孔２２を通過する際に孔発光部２１を散点状に発光させるために、各貫通孔２２の後方側に対応して（８文字で計４８個）配置されている。
【００３２】
図８に示すように、レンズ４０は、自身の外周面が延長部１２，１２の内周面と、自身の前面が面発光部１１の後面と、それぞれ直接接触する形態にて、導光板１０とリフレクタ２０との間に配置され、ポリカーボネート（ポリカ；ＰＣ）樹脂によって一体成形されている。これによって、導光板ＬＥＤ３１の光の一部は導光板１０の延長部１２，１２からレンズ４０へ導入され（漏れ出し）、レンズ４０から導光板１０の面発光部１１へ導出する（戻る）。また、導光板ＬＥＤ３１の光は、面発光部１１を伝播するときに面発光部１１とレンズ４０との接面（境界面）で反射して面発光部１１に戻る。このように、導光板１０とリフレクタ２０との間にレンズ４０を設けることによって、導光板１０の面発光部１１全体に十分な光量をもたらすことができ、面発光部１１（発光領域）の中央部分での光量不足が生じにくくなる。
【００３３】
なお、レンズ４０はリフレクタ２０の前方側に位置しており、リフレクタ２０の孔発光部２１を発光させるリフレクタＬＥＤ３２の光を面発光部１１へ向けて通過させる機能も有している。
【００３４】
また、拡散シート５０はレンズ４０とリフレクタ２０との間に介在し、リフレクタ２０の孔発光部２１を発光させたリフレクタＬＥＤ３２の光を拡散させてレンズ４０を通過させる機能を有している。
【００３５】
このように、レンズ４０及び拡散シート５０はリフレクタ２０の孔発光部２１及びその後方に対応配置されたリフレクタＬＥＤ３２を覆っているので、導光板ＬＥＤ３１の点灯・消灯にかかわらず、リフレクタＬＥＤ３２の消灯時に孔発光部２１が透けて見えるのを防ぐことができる（図１１（ａ），（ｂ）参照）。
【００３６】
さらに、レンズ４０は、外周縁部に比べて中央部の厚みが大となる凸レンズ状に形成されている。具体的には、図８に示すように、例えば面発光部１１（膨出部１１ａ）における“ＮＩＰＰＡＣＨＩ”の左から２番目の文字“Ｉ”と、上下一対の導光板ＬＥＤ３１，３１とを含むＡ−Ａ断面（図５参照）で見たとき、レンズ４０の中央部は外周縁部よりも厚い凸レンズ状である。一方、図１０に示すように、例えば面発光部１１（膨出部１１ａ）における長手方向のＣ−Ｃ断面（図５参照）で見たとき、レンズ４０の厚さは一定である。これにより、導光板ＬＥＤ３１，３１の光について、レンズ４０から面発光部１１へ導出する（戻る）光やレンズ４０と面発光部１１との接面（境界面）で反射して面発光部１１に戻る光、及びリフレクタ２０の孔発光部２１を発光させたリフレクタＬＥＤ３２の光は、レンズ４０の凸レンズ効果と拡散シート５０の光拡散効果とにより面発光部１１の中央付近へ収束する。したがって、遊技者は、図８に示すように、第一の図柄Ｆ１の面状の発光表示態様と第二の図柄Ｆ２の散点状の発光表示態様とがはっきりと重ね合わされた状態で視認できる。
【００３７】
図９に示すように、面発光部１１（導光板１０）の第一の図柄形状“ＮＩＰＰＡＣＨＩ”のうち“Ａ”において、三角状に囲まれた内側部分が、膨出部１１ａをなす文字本体部分よりもさらに高く（手前側に）突出する突出部１１ｂに形成されている。そして、その突出部１１ｂの表面（前面）には、非透光性の反射膜１１ｃが形成されている。反射膜１１ｃは、塗装、印刷、めっき、真空蒸着等を施したり、金属箔、非透光性印刷が施されたシール等を接着したりすることによって形成される。
【００３８】
上記したように、導光板ＬＥＤ３１，３１の光は、面発光部１１を伝播し、レンズ４０と面発光部１１との接面（境界面）で反射したり、レンズ４０から面発光部１１へ導出したりした後、面発光部１１の文字本体部分（膨出部１１ａ）を透過して第一の図柄Ｆ１を発光表示する（図８参照）。その際、“Ａ”の突出部１１ｂにおいては反射膜１１ｃでレンズ４０側（後方側）へ反射し、さらにレンズ４０と面発光部１１との接面（境界面）で再反射してから、膨出部１１ａを透過する。あるいは、反射膜１１ｃで反射した光が、面発光部１１からレンズ４０へ入射し、拡散シート５０で再反射した後、レンズ４０及び面発光部１１（膨出部１１ａ）を透過して第一の図柄Ｆ１を発光表示することもある。このようにして、膨出部１１ａ（文字本体部分）と反射膜１１ｃ（突出部１１ｂを覆う三角状部分）とのコントラストを明瞭にできる。なお、第一の図柄形状“ＮＩＰＰＡＣＨＩ”のうち“Ｐ”（２文字）において、半楕円状に囲まれた内側部分についても、“Ａ”の三角状部分と同様の突出部１１ｂ及び反射膜１１ｃが形成されている（図５参照）。
【００３９】
次に、以上のように構成された表示装置１の作動について、図７、図８及び図１１を参照して説明する。
【００４０】
＜１＞導光板ＬＥＤ３１、リフレクタＬＥＤ３２がともに消灯状態（図１１（ａ））
遊技者は、ケース体２の窓孔２ａ及び導光板１０の膨出部１１ａ（面発光部１１）により、第一の図柄形状“ＮＩＰＰＡＣＨＩ”を見ることができるが、第一の図柄Ｆ１として発光表示態様を視認することはできない。また、レンズ４０及び拡散シート５０がリフレクタ２０の孔発光部２１及びその後方に対応配置されたリフレクタＬＥＤ３２を覆っているので、導光板ＬＥＤ３１及びリフレクタＬＥＤ３２が消灯しているときには、孔発光部２１（第二の図柄形状）を透かして見ることもできない。
【００４１】
＜２＞導光板ＬＥＤ３１が点灯状態、リフレクタＬＥＤ３２が消灯状態（図１１（ｂ））
導光板ＬＥＤ３１の光が導光板１０の延長部１２，１２から面発光部１１（膨出部１１ａ）に導かれる。また、その光の一部はレンズ４０へ導入され、レンズ４０を通り面発光部１１（膨出部１１ａ）に導かれる。したがって、遊技者は、面発光部１１（膨出部１１ａ）での第一の図柄Ｆ１“ＮＩＰＰＡＣＨＩ”の面状の発光表示態様を視認することができる。なお、導光板ＬＥＤ３１が点灯しても、リフレクタＬＥＤ３２が消灯しているので、孔発光部２１（第二の図柄形状）を透かして見ることはできない。
【００４２】
＜３＞導光板ＬＥＤ３１、リフレクタＬＥＤ３２がともに点灯状態（図１１（ｃ））
リフレクタＬＥＤ３２の光がリフレクタ２０の孔発光部２１（貫通孔２２の内面）を照射して第二の図柄Ｆ２“△”を発光させ、レンズ４０及び面発光部１１（膨出部１１ａ）を通過する。したがって、遊技者は、面発光部１１（膨出部１１ａ）での第一の図柄Ｆ１“ＮＩＰＰＡＣＨＩ”の面状の発光表示態様と、孔発光部２１での第二の図柄Ｆ２“△”の散点状の発光表示態様とを重層形態にて視認することができる。
【００４３】
このように、導光板１０とリフレクタ２０との間にレンズ４０を介在させることによって、導光板１０の面発光部１１（膨出部１１ａ）全体に十分な光量をもたらして、面発光部１１（発光領域）の中央部分での光量不足を解消できる。その結果、第一の図柄Ｆ１“ＮＩＰＰＡＣＨＩ”をくっきりと浮かび上がらせて明るく表示することができ、第二の図柄Ｆ２“△”との差異も明瞭になる。
【００４４】
なお、実施例では理解を容易にするために、単純化した典型的事例についてのみ説明したが、必要に応じて適宜改良や変形を付加することができる。例えば、リフレクタＬＥＤ３２のみを点灯させたり、導光板ＬＥＤ３１やリフレクタＬＥＤ３２毎に点灯タイミング、点灯色等を変化させたりすることによって、演出表示パターンの多様化を図ることができる。また、発光状況の変化（点灯・点滅の使い分け等）や発光色の変化に発光位置の変化を組み合わせることによって、発光態様の変化をさらに多彩にすることができる。さらに、リフレクタＬＥＤ３２にも、単色発光するＬＥＤの他にフルカラー発光するＬＥＤを用いることができる。
【符号の説明】
【００４５】
１        演出表示装置（遊技機用表示装置）
２        ケース体
２ａ      窓孔（第一の図柄形状）
３        裏蓋
９        ビス（締結部材）
１０      導光板
１１      面発光部
１１ａ    膨出部（第一の図柄形状）
１１ｂ    突出部
１１ｃ    反射膜
１２      延長部
２０      リフレクタ
２１      孔発光部
２２      貫通孔（第二の図柄形状）
３０      発光基板（共通基板）
３１      導光板ＬＥＤ（第一発光素子）
３２      リフレクタＬＥＤ（第二発光素子）
４０      レンズ（透光体）
５０      拡散シート（光拡散透過部材）
１０１    パチンコ機（弾球遊技機；遊技機）
１０２    遊技盤
Ｆ１      第一の図柄
Ｆ２      第二の図柄
【図１】
0005442423.tif 000002
【図２】
0005442423.tif 000003
【図３】
0005442423.tif 000004
【図４】
0005442423.tif 000005
【図５】
0005442423.tif 000006
【図６】
0005442423.tif 000007
【図７】
0005442423.tif 000008
【図８】
0005442423.tif 000009
【図９】
0005442423.tif 000010
【図１０】
0005442423.tif 000011
【図１１】
0005442423.tif 000012